(57)【特許請求の範囲】
【請求項１】
挿入口から挿入されたカード媒体に記録されている情報を読取り、洗車受付操作に応ずる新情報を該カード媒体に書込み、該カード媒体を排出するカード処理装置を有してなる洗車受付装置において、
カード処理装置が先に挿入された先行カード媒体を一時保留する保留部を備え、先行カード媒体に続いて挿入された後続カード媒体を排出した後に、先行カード媒体を排出可能にするとともに、
前記先行カード媒体が購入金額に応じてサービスポイントを加算していくポイントカードであり、前記後続カード媒体が洗車料金前納カードであり、後続カード媒体から洗車料金を引き去り処理した後に、当該洗車料金に応じたサービスポイントを先行カード媒体に加算処理することを特徴とする洗車受付装置。
【発明の詳細な説明】
【０００１】
【発明の属する技術分野】
本発明は、洗車受付装置に関する。
【従来の技術】
洗車場の入口には利用者が洗車機による洗車メニューを選択して料金を支払うための洗車受付装置が設置されている。そして、従来の洗車受付装置では、洗車料金の支払いに洗車料金前納カードを使用可能とするため、挿入口から挿入されたカード媒体に記録されている情報を読取り、洗車受付操作に応ずる新情報を該カード媒体に書込み、該カード媒体を排出するカード処理装置を有するものがある。
【０００２】
【発明が解決しようとする課題】
従来の洗車受付装置では、カード処理装置に挿入できるカード媒体の枚数が唯１枚に限られており、所望の洗車料金に比べて残金が不足している１枚目の洗車料金前納カードを２枚目の他の洗車料金前納カードと併用する場合には、１枚目の洗車料金前納カードを挿入してカード追加有り確認スイッチをオンすると、まず１枚目の洗車料金前納カードの残金を全て減算処理して該１枚目の洗車料金前納カードを返却し、続いて２枚目の洗車料金前納カードを追加的に挿入すると、２枚目の洗車料金前納カードから洗車料金の不足料金を引き去り処理し該２枚目の洗車料金前納カードを返却し、所望の洗車メニューを受付可能とする。
【０００３】
従って、従来技術では、１枚目の洗車料金前納カードを挿入してカード追加有り確認スイッチをオンすると該１枚目の洗車料金前納カードの残金を減算処理してしまう。利用者が洗車料金の全額を支払い完了する前に、洗車の受付をキャンセルしたくなっても、１枚目の洗車料金前納カードからの減算処理が既に実行されていてその減算処理した残金をもはや回復できず、使い勝手が悪い。
【０００４】
本発明の課題は、洗車受付装置のカード処理装置に２枚以上のカード媒体を続けて挿入可能とし、洗車受付装置の使い勝手を向上することにある。
【０００５】
【課題を解決するための手段】
請求項１の発明は、挿入口から挿入されたカード媒体に記録されている情報を読取り、洗車受付操作に応ずる新情報を該カード媒体に書込み、該カード媒体を排出するカード処理装置を有してなる洗車受付装置において、カード処理装置が先に挿入された先行カード媒体を一時保留する保留部を備え、先行カード媒体に続いて挿入された後続カード媒体を排出した後に、先行カード媒体を排出可能にするとともに、前記先行カード媒体が購入金額に応じてサービスポイントを加算していくポイントカードであり、前記後続カード媒体が洗車料金前納カードであり、後続カード媒体から洗車料金を引き去り処理した後に、当該洗車料金に応じたサービスポイントを先行カード媒体に加算処理するようにしたものである。
【０００９】
【作用】
請求項１の発明によれば下記(a)、(b)の作用がある。
(a)洗車受付装置のカード処理装置は、先行カード媒体の一時保留部を備えたから、先行カード媒体と後続カード媒体の２枚以上のカード媒体を続けて挿入でき、先行カード媒体からの読取り情報に応じて後続カード媒体に読取り／書込み処理し、その後先行カード媒体に書込み処理できる。従って、カード処理装置が先行カード媒体と後続カード媒体に対して行なうべき関連処理動作をスムースに進めることができ、洗車受付装置の使い勝手を向上できる。
【００１２】
(b)カード処理装置は先行カード媒体（ポイントカード）が挿入されたことを読取ると（カード追加有り確認スイッチ等の入力を必要とすることなく）、この先行カード媒体をそのまま一時保留部に保留する。そして、後続カード媒体（洗車料金前納カード）からの洗車料金の引き去り処理結果を、その後、先行カード媒体に書込み処理できる。従って、先行カード媒体と後続カード媒体の挿入〜排出動作をスムースに進めることができる。
【００１３】
【発明の実施の形態】
図１は洗車場を示す模式図、図２は洗車受付装置を示す正面図、図３はカード処理装置を示し、（Ａ）は平面図、（Ｂ）は側面図、図４はカード保留部を示し、（Ａ）は平面図、（Ｂ）は側面図、図５はカード処理装置を示すブロック図、図６は本実施形態のカード処理手順を示す模式図である。
【００１４】
図１はドライブスルー式の洗車場１０を示し、門型洗車機１１をレール１２に沿って往復走行可能とし、洗車機１１の走行範囲で該洗車機１１に囲まれる領域を洗車作業領域とし、車両を洗車作業領域の前方の入口から進入させて洗車作業領域に位置付け、洗車作業領域で洗車機１１により洗車せしめられた車両を洗車作業領域の後方の出口から退場させるものである。
【００１５】
洗車場１０では、洗車作業領域の入口に洗車受付装置１３、遮断機１４を、洗車作業領域に停止位置案内表示板１５、フットスイッチ１６を、洗車作業領域の出口に退場案内表示灯１７を設置してある。これにより、洗車利用者が車両に乗ったまま洗車作業領域の入口に乗り入れ、洗車受付装置１３によって料金投入と洗車メニューの選択入力を行なうと、遮断機１４が開き、車両を洗車作業領域に位置付けるものとなる。利用者が停止位置案内表示板１５を見ながら右車輪をフットスイッチ１６に納めると、フットスイッチ１６の車両停車検出信号により、洗車機１１が走行して洗車を開始する。洗車が終了すると、退場案内表示灯１７が点灯して退場を促すので、利用者は車両を前進させて洗車作業領域の出口から退場するものとなる。
【００１６】
ここで、洗車受付装置１３は、図２に示す如く、利用者が車両に乗ったまま操作できる操作盤２０に洗車受付操作部２１を備える他、カード挿入口２２、コイン投入口２３、紙幣投入口２４、釣銭取出口２５、領収書取出口２６等を備える。即ち、洗車受付装置１３は、利用者が洗車受付操作部２１を用いて洗車メニュの選択入力を行なうに先立ち、カード挿入口２２等を用いて選択した洗車メニュに見合う料金を精算可能とするものである。
【００１７】
しかるに、洗車受付装置１３は、ＣＰＵ３１、ＲＯＭ３２、ＲＡＭ３３、インターフェイスＩ／Ｏ３４を互いに接続した制御部３０Ａを有する。制御部３０Ａは洗車機１１、洗車受付操作部２１の各種センサ、各種作動部をＩ／Ｏ３４を介してＣＰＵ３１に接続し、ＣＰＵ３１はＲＯＭ３２に記録されているプログラムに基づいてそれら各種作動部を制御する。
【００１８】
洗車受付装置１３は、操作盤２０のカード挿入口２２に、図３〜図５に示す如くのカード処理装置３０を接続して備える。カード処理装置３０は、カード挿入口２２から挿入されたカード媒体１を読取り／書込み作業位置に導入／排出する搬送装置３５、読取り／書込み作業位置に位置付けられたカード媒体１に記録されている情報を読取り、洗車受付操作に応ずる新情報をカード媒体１に書込む読取り／書込み部３６を有するとともに、カード挿入口２２に設けたカード挿入動作検出センサ３７、読取り／書込み部３６による読取り／書込み作業位置に設けたカード挿入完了検出センサ３８を有する。制御部３０ＡのＣＰＵ３１はセンサ３７、３８の検出結果を得て、ＲＯＭ３２に記録されているプログラムに基づいて搬送装置３５、読取り／書込み部３６の動作を制御する。
【００１９】
更に、カード処理装置３０は、先に挿入された先行カード媒体１Ａを読取り／書込み部３６より反カード挿入口２２側に一時保留するカード保留部４０を備える。カード保留部４０は、読取り／書込み部３６のカード保留部４０寄りにカード通過検出センサ４１、カード保留部４０の最奥側にカード保留完了検出センサ４２を備え、先行カード媒体１Ａを上下から挟圧する上下のローラ４３、４４を正逆転させるモータ４５を有する。上ローラ４３はモータ４５の出力軸に固定され、下ローラ４４は両側の板ばね４６に支軸４４Ａを支持されて上ローラ４３に加圧されている。
【００２０】
これにより、カード処理装置３０は、先行カード媒体１Ａを搬送装置３５により読取り／書込み作業位置に導入してその記録情報を読取った後に、先行カード媒体１Ａを搬送装置３５からローラ４３、４４に受渡してカード保留部４０に一時保留し、続く後続カード媒体１Ｂを搬送装置３５により読取り／書込み作業位置に導入してその記録情報を読取り、洗車受付操作に応ずる新情報を後続カード媒体１Ｂに書込み、該後続カード媒体１Ｂを搬送装置３５によりカード挿入口２２から排出し、その後、先行カード媒体１Ａをローラ４３、４４から搬送装置３５に受渡してカード保留部４０から読取り／書込み作業位置に再設定し、洗車受付操作に応ずる新情報を先行カード媒体１Ａに書込んで該先行カード媒体１Ａを搬送装置３５により挿入口２２から排出することができる。
【００２１】
以下、洗車受付装置１３の具体的使用対応について説明する。
（第１参考形態）（図６）
先行カード媒体１Ａと後続カード媒体１Ｂがともに洗車料金前納カードであり、先行カード媒体１Ａの残金が所望の洗車メニュのための洗車料金に対して不足のとき、洗車受付装置１３は以下の如く動作する。
【００２２】
(1)カード処理装置３０への先行カード媒体１Ａの挿入をカード挿入動作検出センサ３７が検出すると、搬送装置３５が作動する。先行カード媒体１Ａが読取り／書込み部３６による読取り／書込み作業位置に位置付けられたことをカード挿入完了検出センサ３８が検出すると、搬送装置３５が停止する（図６（Ａ））。先行カード媒体１Ａの残金が所望の洗車料金に対して不足であることが読取り／書込み部３６の読取り結果により判明すると、これが洗車受付操作部２１のカード追加有り確認スイッチの点滅等により利用者に知らされる。
【００２３】
(2)利用者が上述(1)に続いてカード追加有り確認スイッチをオンすると、搬送装置３５、モータ４５が作動し、搬送装置３５が先行カード媒体１Ａをカード保留部４０のローラ４３、４４に引き渡す（図６（Ｂ））。カード通過検出センサ４１が先行カード媒体１Ａの通過を検出することにより搬送装置３５が停止し、カード保留完了検出センサ４２が先行カード媒体１Ａの到着を検出することによりモータ４５が停止する（図６（Ｃ））。これにより、先行カード媒体１Ａがカード保留部４０に一時保留される。
【００２４】
(3)利用者が上述(2)と同時に、後続カード媒体１Ｂをカード処理装置３０へと挿入すると、先行カード媒体１Ａにおけると同様にして、後続カード媒体１Ｂが搬送装置３５により読取り／書込み部３６による読取り／書込み作業位置に位置付けられる（図６（Ｄ））。読取り／書込み部３６による後続カード媒体１Ｂの読取り結果に対し、操作盤２０は前述(1)で判明した先行カード媒体１Ａの不足料金の支払を利用者に促す。利用者が洗車受付操作部２１の洗車メニュ選択スイッチをオンして洗車料金を確定すると、読取り／書込み部３６が後続カード媒体１Ｂから上述の不足料金を引き去り処理し、新料金を後続カード媒体１Ｂに書込み、不足料金の支払が完了する。
【００２５】
(4)上述(3)の不足料金の支払完了後、後続カード媒体１Ｂが搬送装置３５により挿入口２２から排出される。続いて、カード保留部４０のモータ４５が作動し、先行カード媒体１Ａをカード保留部４０のローラ４３、４４から搬送装置３５に引き渡し、先行カード媒体１Ａを読取り／書込み部３６による読取り／書込み作業位置に再設定すると、読取り／書込み部３６が先行カード媒体１Ａから前述(1)の残金を引き去り処理し、残金の消失を先行カード媒体１Ａに書込み、この先行カード媒体１Ａを搬送装置３５により挿入口２２から排出する。
【００２６】
(5)利用者が上述(3)で後続カード媒体１Ｂをカード処理装置３０へ挿入した後、不足料金の支払完了前に、洗車の受付をキャンセルする場合には、洗車受付操作部２１の洗車キャンセルスイッチがオンされる。これにより、カード処理装置３０は一旦挿入された後続カード媒体１Ｂが料金支払を行なうことなく搬送装置３５により挿入口２２から排出され（図６（Ｅ））、続いてカード保留部４０に保留されていた先行カード媒体１Ａも料金支払いを行なうことなくカード保留部４０のローラ４３、４４から搬送装置３５へ（図６（Ｆ））、更に搬送装置３５により挿入口２２から排出されるものとなる（図６（Ｇ））。
【００２７】
従って、第１参考形態によれば、以下の作用がある。
(a)洗車受付装置１３のカード処理装置３０は、先行カード媒体１Ａの一時保留部４０を備えたから、先行カード媒体１Ａと後続カード媒体１Ｂの２枚以上のカード媒体を続けて挿入でき、先行カード媒体１Ａからの読取り情報に応じて後続カード媒体１Ｂに読取り／書込み処理し、その後先行カード媒体１Ａに書込み処理できる。従って、カード処理装置３０が先行カード媒体１Ａと後続カード媒体１Ｂに対して行なうべき関連処理動作をスムースに進めることができ、洗車受付装置１３の使い勝手を向上できる。
【００２８】
(b)利用者が後続カード媒体１Ｂ（洗車料金前納カード）から洗車料金の不足料金を支払い完了した後でなければ、先行カード媒体１Ａ（洗車料金前納カード）の残金を引き去り処理しない。従って、残金の少ない先行カード媒体１Ａをカード処理装置３０に挿入して洗車料金の不足を確認した状態であっても、利用者が洗車料金の不足料金を支払い完了しない限り、その洗車受付過程で、利用者が洗車受付をキャンセルしたくなれば、先行カード媒体１Ａを残金の引き去りのないまま返却できる。
【００２９】
（第２参考形態）（図６）
先行カード媒体１Ａが特定洗車メニュのための洗車回数券カードであり、後続カード媒体１Ｂが洗車料金前納カードであり、先行カード媒体１Ａの洗車１回分の料金が所望の洗車メニュのための洗車料金に対して不足のとき、洗車受付装置１３は以下の如く動作する。
【００３０】
(1)カード処理装置３０への先行カード媒体１Ａの挿入をカード挿入動作検出センサ３７が検出すると、搬送装置３５が作動する。先行カード媒体１Ａが読取り／書込み部３６による読取り／書込み作業位置に位置付けられたことをカード挿入完了検出センサ３８が検出すると、搬送装置３５が停止する（図６（Ａ））。先行カード媒体１Ａの洗車１回分の料金が所望の洗車料金に対して不足であることが読取り／書込み部３６の読取り結果により判明すると、これが洗車受付操作部２１のカード追加有り確認スイッチの点滅等により利用者に知らされる。
【００３１】
(2)利用者が上述(1)に続いてカード追加有り確認スイッチをオンすると、搬送装置３５、モータ４５が作動し、搬送装置３５が先行カード媒体１Ａをカード保留部４０のローラ４３、４４に引き渡す（図６（Ｂ））。カード通過検出センサ４１が先行カード媒体１Ａの通過を検出することにより搬送装置３５が停止し、カード保留完了検出センサ４２が先行カード媒体１Ａの到着を検出することによりモータ４５が停止する（図６（Ｃ））。これにより、先行カード媒体１Ａがカード保留部４０に一時保留される。
【００３２】
(3)利用者が上述(2)と同時に、後続カード媒体１Ｂをカード処理装置３０へと挿入すると、先行カード媒体１Ａにおけると同様にして、後続カード媒体１Ｂが搬送装置３５により読取り／書込み部３６による読取り／書込み作業位置に位置付けられる（図６（Ｄ））。読取り／書込み部３６による後続カード媒体１Ｂの読取り結果に対し、操作盤２０は前述(1)で判明した先行カード媒体１Ａの不足料金の支払を利用者に促す。利用者が洗車受付操作部２１の洗車メニュ選択スイッチをオンして洗車料金を確定すると、読取り／書込み部３６が後続カード媒体１Ｂから上述の不足料金を引き去り処理し、新料金を後続カード媒体１Ｂに書込み、不足料金の支払が完了する。
【００３３】
(4)上述(3)の不足料金の支払完了後、後続カード媒体１Ｂが搬送装置３５により挿入口２２から排出される。続いて、カード保留部４０のモータ４５が作動し、先行カード媒体１Ａをカード保留部４０のローラ４３、４４から搬送装置３５に引き渡し、先行カード媒体１Ａを読取り／書込み部３６による読取り／書込み作業位置に再設定すると、読取り／書込み部３６が先行カード媒体１Ａの残洗車回数から洗車１回分を引き去り処理し、この先行カード媒体１Ａを搬送装置３５によりカード挿入口２２から排出する。
【００３４】
従って、本参考形態によれば以下の作用がある。
(a)洗車受付装置１３のカード処理装置３０は、先行カード媒体１Ａの一時保留部４０を備えたから、先行カード媒体１Ａと後続カード媒体１Ｂの２枚以上のカード媒体を続けて挿入でき、先行カード媒体１Ａからの読取り情報に応じて後続カード媒体１Ｂに読取り／書込み処理し、その後先行カード媒体１Ａに書込み処理できる。従って、カード処理装置３０が先行カード媒体１Ａと後続カード媒体１Ｂに対して行なうべき関連処理動作をスムースに進めることができ、洗車受付装置１３の使い勝手を向上できる。
【００３５】
(b)利用者が後続カード媒体１Ｂ（洗車料金前納カード）から洗車料金の不足料金を支払い完了した後でなければ、先行カード媒体１Ａ（洗車回数券カード）の残洗車回数を引き去り処理しない。従って、先行カード媒体１Ａをカード処理装置３０に挿入して洗車料金の残金を確認した状態であっても、利用者が洗車料金の不足料金を支払い完了しない限り、その洗車受付過程で、利用者が洗車の受付をキャンセルしたくなれば、先行カード媒体１Ａを残洗車回数の引き去りのないまま返却できる。
【００３６】
（第１実施形態）（図６）
先行カード媒体１Ａが購入金額に応じてサービスポイントを加算していくポイントカードであり、後続カード媒体１Ｂが洗車料金前納カードであるとき、洗車受付装置１３は以下の如く動作する。
【００３７】
(1)カード処理装置３０への先行カード媒体１Ａの挿入をカード挿入動作検出センサ３７が検出すると、搬送装置３５が作動する。先行カード媒体１Ａが読取り／書込み部３６による読取り／書込み作業位置に位置付けられたことをカード挿入完了検出センサ３８が検出すると、搬送装置３５が停止する（図６（Ａ））。先行カード媒体１Ａがポイントカードであることが読取り／書込み部３６の読取り結果により判明すると、搬送装置３５、モータ４５が直ちに作動し、搬送装置３５が先行カード媒体１Ａをカード保留部４０のローラ４３、４４に引き渡す（図６（Ｂ））。カード通過検出センサ４１が先行カード媒体１Ａの通過を検出することにより搬送装置３５が停止し、カード保留完了検出センサ４２が先行カード媒体１Ａの到着を検出することによりモータ４５が停止する（図６（Ｇ））。
【００３８】
(2)操作盤２０が利用者に後続カード媒体１Ｂの挿入を促し、後続カード媒体１Ｂがカード処理装置３０へと挿入されると、先行カード媒体１Ａにおけると同様にして、後続カード媒体１Ｂが搬送装置３５により読取り／書込み部３６による読取り／書込み作業位置に位置付けられる（図６（Ｄ））。
【００３９】
(3)利用者が洗車受付操作部２１の洗車メニュー選択スイッチをオンして洗車料金を確定すると、読取り／書込み部３６が後続カード媒体１Ｂから上述の洗車料金を引き去り処理し、新残金を後続カード媒体１Ｂに書込み、洗車料金の支払が完了する。
【００４０】
(4)上述(3)の洗車料金の支払完了後、後続カード媒体１Ｂが搬送装置３５により挿入口２２から排出される（図６（Ｅ））。続いて、カード保留部４０のモータ４５が作動し、先行カード媒体１Ａをカード保留部４０のローラ４３、４４から搬送装置３５に引き渡し、先行カード媒体１Ａを読取り／書込み部３６による読取り／書込み作業位置に再設定すると、読取り／書込み部３６が洗車料金に応じたサービスポイントを先行カード媒体１Ａに加算処理し（図６（Ｆ））、累計ポイントを先行カード媒体１Ａに書込み、この先行カード媒体１Ａを搬送装置３５によりカード挿入口２２から排出する（図６（Ｇ））。
【００４１】
従って、本実施形態によれば以下の作用がある。
(a)洗車受付装置１３のカード処理装置３０は、先行カード媒体１Ａの一時保留部４０を備えたから、先行カード媒体１Ａと後続カード媒体１Ｂの２枚以上のカード媒体を続けて挿入でき、先行カード媒体１Ａからの読取り情報に応じて後続カード媒体１Ｂに読取り／書込み処理し、その後先行カード媒体１Ａに書込み処理できる。従って、カード処理装置３０が先行カード媒体１Ａと後続カード媒体１Ｂに対して行なうべき関連処理動作をスムースに進めることができ、洗車受付装置１３の使い勝手を向上できる。
【００４２】
(b)カード処理装置３０は先行カード媒体１Ａ（ポイントカード）が挿入されたことを読取ると（カード追加有り確認スイッチ等の入力を必要とすることなく）、この先行カード媒体１Ａをそのまま一時保留部４０に保留する。そして、後続カード媒体１Ｂ（洗車料金前納カード）からの洗車料金の引き去り処理結果を、その後、先行カード媒体１Ａに書込み処理できる。従って、先行カード媒体１Ａと後続カード媒体１Ｂの挿入〜排出動作をスムースに進めることができる。
【００４３】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明のカード処理装置は３枚以上のカード媒体を挿入することもでき、２枚以上のカード媒体を積層する等にて一時保管可能とする保留部を備えることができる。
【００４４】
【発明の効果】
以上のように本発明によれば、洗車受付装置のカード処理装置に２枚以上のカード媒体を続けて挿入可能とし、洗車受付装置の使い勝手を向上することができる。
【図面の簡単な説明】
【図１】図１は洗車場を示す模式図である。
【図２】図２は洗車受付装置を示す正面図である。
【図３】図３はカード処理装置を示し、（Ａ）は平面図、（Ｂ）は側面図である。
【図４】図４はカード保留部を示し、（Ａ）は平面図、（Ｂ）は側面図である。
【図５】図５はカード処理装置を示すブロック図である。
【図６】図６は本実施形態のカード処理手順を示す模式図である。
【符号の説明】
１  カード媒体
１Ａ  先行カード媒体
１Ｂ  後続カード媒体
１３  洗車受付装置
２１  洗車受付操作部
２２  カード挿入口
３０  カード処理装置
４０  保留部
【図１】
0004582904.tif 000002
【図２】
0004582904.tif 000003
【図３】
0004582904.tif 000004
【図４】
0004582904.tif 000005
【図５】
0004582904.tif 000006
【図６】
0004582904.tif 000007